(57)【要約】【目的】嗜好性飲料の抽出時、抽出用バッグを飲料調製容器に上置する方式において、抽出用バッグに貼付した紙製支持シートによって、抽出用バッグの安定性を高めた状態に保持すると共に、抽出性を一層高めることを目的とする。【構成】抽出用バッグを飲料調製容器に上置して、嗜好性飲料を抽出する場合、抽出用バッグに貼付した、紙製支持シートの形状を工夫すると共に、紙製支持シートの弾性及び可塑性を利用して、容器の上縁を外側及び内側の双方から挟んで保持する構成を有する。この構成によって抽出用バッグの安定性を高めると共に、紙製支持シートの先端部分を抽出用バッグの底部に貼付することによって、嗜好性飲料の抽出の抽出時にバッグが拡張される時、抽出用バッグの底部迄充分に拡張させ、その状態に保持することによって、一層抽出性を高めるような構造となっている。【選択図】図２
2006076600.tif 000002
【特許請求の範囲】
【請求項１】
支持具付嗜好性飲料抽出用バッグ(1) は、濾過性を有するシートからなる抽出用バッグ(2) 及び、その表裏に抽出用バッグをカップ上に保持するための紙製支持シート(3) 、(3′) を貼付した支持具付抽出用バッグにおいて、
紙製支持シート(3) 、(3′) の上部には、容易に折り曲げ可能なミシン目(4) 、(4′) 及び、(5) 、(5′) がそれぞれ縦方向に設けられ、紙製支持シート(3) 、(3′) 下部には、カップの縁を外側から保持するためのループ(6) 、(6′) または/ 及び、抽出用バッグ(2) の拡張用ループ(7) 、(7′) が、それぞれ紙製支持シートの一部を打ち抜いて設けられ、ループ(7) 、(7′) の先端(17)、(17 ′) は抽出用バッグ(2) の表面に貼付された構造を有し、
嗜好性飲料抽出用バッグ(1) の使用時、紙製支持シート(3) 、(3′) の上部左右の縁、(8) 、(8′) 及び(9) 、(9′) を左右から押さえると、シート(3) 、(3′) の上部に設けられた、ミシン目 (４) 、(4′) 及び、(5) 、(5′) が容易に折り曲げられて、抽出用バッグ(2) の上部が開口された状態となり、紙製支持シート(3) 、(3′) の下部に設けられた、ループ(6) 、(6′) は本体から張り出した形状となって、カップの縁を外側から保持して、支持具付嗜好性飲料抽出バッグ(1) をカップ上に安定した状態に保ち、または/ 及びループ(7) 、(7′) はその先端(17)の作用によって、抽出用バッグ(2) の底部を充分に拡張させ、抽出用バッグ(2) の開口部より嗜好性飲料の原料(15)を挿入した後、熱湯を注入すれば原料が抽出され濾過されて、カップ内に嗜好性飲料が調整されるように構成されてなる、支持具付嗜好性飲料抽出用バッグ。
【請求項２】
支持具付嗜好性飲料抽出用バッグ(1) は、濾過性を有するシートからなる抽出用バッグ(2) 及び、その表裏に抽出用バッグをカップ上に保持するための紙製支持シート(3) 、(3′) を貼付した支持具付抽出用バッグにおいて、
紙製支持シート(3) 、(3′) の上部には、容易に折り曲げ可能なミシン目(4) 、(4′) 及び、(5) 、(5′) がそれぞれ縦方向に設けられ、紙製支持シート(3) 、(3′) 下部には、カップの縁を内側から保持するための表裏左右の保持片(11)、(11 ′) 、(12)、(12 ′) 及び、カップの縁を外側から保持するためのループ(6) 、(6′) が、それぞれ紙製支持シートの一部を打ち抜いて設けられた構造を有し、
嗜好性飲料抽出用バッグ (１) の使用時、紙製支持シート(3) 、(3′) の上部左右の縁の(8) 、(8′) 及び(9) 、(9′) を左右から押さえると、シート(3) 、(3′) の上部に設けられた、ミシン目(4) 、(4′) 及び、(5) 、(5′) が容易に折り曲げられて、抽出用バッグ(2) の上部が開口された状態となり、紙製支持シート(3) 、(3′) の下部に設けられた、カップの縁を内側から保持するための表裏左右の保持片(11)、(11 ′) 、(12)、(12 ′) 及び、カップの縁を外側から保持するための表裏のループ(6) 、(6′) が、本体から張り出した形状となり、カップの縁の内側は保持片(11)、(11 ′) 、(12)、(12 ′) により、外側はループ(6) 、(6′) によって挟まれた状態となって、支持具付嗜好性飲料抽出バッグ(1) をカップ上に安定した状態に保ち、抽出用バッグ(2) の開口部より嗜好性飲料の原料(15)を挿入した後、熱湯を注入すれば原料が抽出され濾過されて、カップ内に嗜好性飲料が調整されるように構成されてなる、支持具付嗜好性飲料抽出用バッグ。
【請求項３】
支持具付嗜好性飲料抽出用バッグ(1) の使用時に、カップの縁を外側から保持する保持ループ(6) 、(6′) の、カップの縁に接触する表裏左右の部分(18)、(18 ′) 、(19)、(19 ′) を鋸状とした、請求項１または２記載の支持具付嗜好性飲料抽出用バッグ。
【請求項４】
抽出用バッグ(2) に嗜好性飲料の抽出用原料(15)を挿入した後、抽出用バッグ(2) の上端に溶融接着部分(22)を設けて、抽出用バッグ(2) をシールし、その下部にミシン目(16)を設け、嗜好性飲料抽出用バッグ(1) の使用時には、ミシン目(16)を引き裂き抽出用バッグを開口させ熱湯を注入して使用する、請求項１乃至３のいずれかに記載の、支持具付嗜好性飲料抽出用バッグ。
【請求項５】
抽出用バッグ(2) が折り畳まれた状態において、その下端が三角形に張出した形状を有する、請求項１乃至４のいずれかに記載の、支持具付嗜好性飲料抽出用バッグ。
【発明の詳細な説明】
【技術分野】
【０００１】
本発明は、支持具付嗜好性飲料抽出用バッグに関するものである。嗜好性飲料を調整する時、コーヒーカップ等飲料の容器上に安定性が高い状態で保持できると共に、抽出性にも優れた支持具付を抽出用バッグである。
【背景技術】
【０００２】
近年コーヒーをペーパーフィルターによるドリップ方式で入れて飲む習慣の普及につれて、抽出時フィルターをカップ上で安定に保持するための支持具も使用される様になった。この目的で開発された支持具も既に幾つか開示されている。例えば特許文献１には、短冊状の厚紙を環状に接着し、重なり合う様に折り畳み、その中側に抽出用バッグを取り付け、その両側の縁の中程に切り込みを設けそれを内部に押し込んで、表裏の厚紙を押し開きバッグの口を開く方法が開示されている。
【０００３】
また特許文献２には、矩形の厚紙の中央に穴を開けて抽出用バッグを取り付け、カップの上で矩形の厚紙を半円状に曲げて両側の縁をカップに引っ掛けて使用するものである。更に特許文献３には、同一の大きさの矩形状の厚紙を２重に重ね、両側の縁を折り曲げて断面が矩形の筒をつくり、その部分にバッグを取り付け、その折り曲げた部分に折り返し片を設けて抽出時バッグの開口状態を保持させるものである。
【０００４】
また特許文献４には、矩形の厚紙の中央に穴を開けて抽出用バッグを取り付け、カップの上で矩形の厚紙を半円状に曲げて両側の縁をカップに引っ掛けて使用するものである。更に特許文献５には、嗜好性飲料抽出用バッグ及びバッグをカップ上に保持するための紙製支持具からなる支持具付バッグを使用する時、表裏のシートの間隔を拡げバッグを開口させてカップ上に乗せる際、支持具の下部に設けられた４ケ所の切片の下端がカップの縁と接触する部分に打抜部分を設け、カップの縁を打抜部分に嵌め合わせて、打抜部分の突き当たりに設けられた円形の空隙にカップの縁を嵌め込んで固定することにより、バッグをカップ上で安定した状態で保持できる上置式支持具付バッグである。
【０００５】
これらの方式には、いずれもバッグの開口される度合いにバラツキが出やすいことと共に、抽出している間開口状態が一定に保持されない問題点があった。
【特許文献１】実公平 5-13324号公報
【特許文献２】実公昭 60-7622号公報
【特許文献３】実公昭 57-10270 号公報
【特許文献４】実公昭 60-7622号公報
【特許文献５】特開平 10-85136 号公報
【発明の開示】
【発明が解決しようとする課題】
【０００６】
上置式嗜好性飲料抽出用バッグにおける、支持具の構造を改良して簡便性化すると共に、カップ上に保持した場合の安定性を高め、更に抽出性及び液切れに優れた、嗜好性飲料用抽出バッグを提供しようとするものである。
【課題を解決するための手段】
【０００７】
本発明者等はコーヒー、紅茶等のディスポーザブルタイプの抽出用バッグをドリップ方式で使用する場合、バッグの口を充分に開かせることの他、更にバッグの底部迄も充分に広げて抽出性を高めることができる、支持具の材質と構造について研究した。その結果、やや厚めの縦方向にミシン目を設けた、横長の紙製支持シートを抽出用バッグの表裏に貼付して、使用時には支持シートの左右の縁を左右から押さえると、縦方向のミシン目が容易に折り曲げられて、抽出用バッグの上部が開口された状態となる。
【０００８】
紙製支持シートの下部に設けられた、大きな表裏のループは抽出用バッグの開口に伴って、本体から張り出した形状となって、カップの縁を外側から保持して、支持具付嗜好性飲料抽出バッグをカップ上に安定した状態に保持する。更に、大きなループの内側の表裏に設けられた小さなループの先端は、抽出用バッグの表面に貼付された構造となっているため、抽出バッグ支持シートにより抽出用バッグの上部が開口された状態となるのに伴って、バッグの底部迄充分に拡張された状態となるため、嗜好性飲料の抽出性を更に高めることが可能となる。また、抽出効果を高めるためのバッグの材質・形状等についても検討した結果本発明に到達した。
【０００９】
すなわち、支持具付嗜好性飲料抽出用バッグ(1) は、濾過性を有するシートからなる抽出用バッグ(2) 及び、その表裏に抽出用バッグをカップ上に保持するための紙製支持シート(3) 、(3′) を貼付した支持具付抽出用バッグである。
【００１０】
ここで、紙製支持シート(3) 、(3′) の上部には、容易に折り曲げ可能なミシン目(4) 、(4′) 及び、(5) 、(5′) がそれぞれ縦方向に設けられ、紙製支持シート(3) 、(3′) 下部には、カップの縁を外側から保持するためのループ(6) 、(6′) または/ 及び、抽出用バッグ(2) の拡張用ループ(7) 、(7′) が、それぞれ紙製支持シートの一部を打ち抜いて設けられ、ループ(7) 、(7′) の先端(17)、(17 ′) は抽出用バッグ(2) の表面に貼付された構造を有する。
【００１１】
嗜好性飲料抽出用バッグ(1) の使用時、紙製支持シート(3) 、(3′) の上部左右の縁、(8) 、(8′) 及び(9) 、(9′) を左右から押さえると、シート(3) 、(3′) の上部に設けられた、ミシン目(4) 、(4′) 及び、(5) 、(5′) が容易に折り曲げられて、抽出用バッグ (２) の上部が開口された状態となり、紙製支持シート(3) 、(3′) の下部に設けられた、ループ(6) 、(6′) は本体から張り出した形状となって、カップの縁を外側から保持して、支持具付嗜好性飲料抽出バッグ(1) をカップ上に安定した状態に保ち、または/ 及びループ(7) 、(7′) はその先端(17)の作用によって、抽出用バッグ(2) の底部を充分に拡張させ、抽出用バッグ(2) の開口部より嗜好性飲料の原料(15)を挿入した後、熱湯を注入すれば原料が抽出され濾過されて、カップ内に嗜好性飲料が調整されるように構成されてなる、支持具付嗜好性飲料抽出用バッグである。
【００１２】
更に本発明には、支持具付嗜好性飲料抽出用バッグ(1) は、濾過性を有するシートからなる抽出用バッグ(2) 及び、その表裏に抽出用バッグをカップ上に保持するための紙製支持シート(3) 、(3′) を貼付した支持具付抽出用バッグも含まれている。
【００１３】
ここで、紙製支持シート(3) 、(3′) の上部には、容易に折り曲げ可能なミシン目(4) 、(4′) 及び、(5) 、(5′) がそれぞれ縦方向に設けられ、紙製支持シート(3) 、(3′) 下部には、カップの縁を内側から保持するための表裏左右の保持片(11)、(11 ′) 、(12)、(12 ′) 及び、カップの縁を外側から保持するためのループ(6) 、(6′) が、それぞれ紙製支持シートの一部を打ち抜いて設けられた構造を有する。
【００１４】
嗜好性飲料抽出用バッグ(1) の使用時、紙製支持シート(3) 、(3′) の上部左右の縁、(8) 、(8′) 及び(9) 、(9′) を左右から押さえると、シート(3) 、(3′) の上部に設けられた、ミシン目(4) 、(4′) 及び、(5) 、(5′) が容易に折り曲げられて、抽出用バッグ(2) の上部が開口された状態となり、紙製支持シート(3) 、(3′) の下部に設けられた、カップの縁を内側から保持するための表裏左右の保持片(11)、(11 ′) 、(12)、(12 ′) 及び、カップの縁を外側から保持するための表裏のループ(6) 、(6′) が、本体から張り出した形状となり、カップの縁の内側は保持片(11)、(11 ′) 、(12)、(12 ′) により、外側はループ(6) 、(6′) によって挟まれた状態となって、支持具付嗜好性飲料抽出バッグ(1) をカップ上に安定した状態に保ち、抽出用バッグ(2) の開口部より嗜好性飲料の原料(15)を挿入した後、熱湯を注入すれば原料が抽出され濾過されて、カップ内に嗜好性飲料が調整されるように構成されてなる、支持具付嗜好性飲料抽出用バッグである。
【００１５】
前記の２つの支持具付嗜好性飲料抽出用バッグの態様において、支持具付嗜好性飲料抽出用バッグ(1) の使用時に、カップの縁を外側から保持する、保持ループ(6) 、(6′) の、カップの縁に接触する表裏左右の部分(18)、(18 ′) 、(19)、(19 ′) を鋸状とした、請求項１または２、３のいずれかに記載の支持具付嗜好性飲料抽出用バッグも、本発明に含まれている。
【００１６】
更に前述のいずれかの態様において、先ず抽出用バッグ(2) に嗜好性飲料の抽出用原料(15)を挿入した後、抽出用バッグ(2) の上端に溶融接着部分(22)を設けて、抽出用バッグ(2) をシールする。更にその下部にミシン目(16)を設ける。嗜好性飲料抽出用バッグ(1) の使用時には、ミシン目(16)を引き裂いて抽出用バッグを開口させ、熱湯を注入して使用する支持具付嗜好性飲料抽出用バッグも、本発明に含まれている。また、抽出用バッグ(2) が折り畳まれた状態において、その下端が三角形に張出した形状を有する、支持具付嗜好性飲料抽出用バッグも、本発明に含まれている。
【００１７】
ここで、「紙製支持シート(3) 、(3′) 」の様に同じ番号に′を付けたものは、それぞれ表側、裏側の対称の位置にある同一の構造部分を示している。以下、本発明について詳しく説明する。
【００１８】
本発明の支持具付嗜好性飲料バッグの材質は、濾過性を有するシートであれば特に限定せず、広範囲の素材が使用可能である。この中、繊度 0.2デニール以下の超極細繊維を含む不織布は抽出性が優れているためより好ましい。例えば、コーヒーの苦すぎる原因となり易い抽出残渣や油脂の除去性に優れているからである。
【００１９】
抽出用バッグの形状は特に限定しないが、開口面積を大きくするためバッグの側面にギャザーを設けた形状が好ましく、更にバッグの下部の断面はＶ字形になっていると液切れが良好となるため好ましい。本発明のバッグには内容物を封入せずオープンの状態で、使用時適宜コーヒー粒子等内容物を入れてお湯を注入するものの他、予めコーヒー粒子等がバッグに封入されていて、使用時ミシン目等を引き裂いてバッグの口を開け、お湯を注入して使用するバッグも含まれている。
【発明の効果】
【００２０】
本発明の支持具付嗜好性飲料抽出用バッグは、ディスポーザブルでドリップタイプのコーヒー、紅茶等の抽出用バッグに紙製の支持具を取り付けたものである。紙製支持シートの作用によって、抽出用バッグの上部を充分に開口させる効果を有すると共に、支持シートの下部に、その一部を打ち抜いて設けられたループの先端部分を、抽出用バッグの底部側面に貼付された構造を有する。このため抽出用バッグを開口させた時、紙製支持シートのこれらの部分の作用によって、抽出用バッグ２の底部迄充分に拡張させることが可能となった特徴を有する。これによって抽出性を一層高める効果を有する。
【発明を実施するための最良の形態】
【００２１】
本発明の支持具付嗜好性飲料バッグに適用できる嗜好性飲料は特に限定しないが、コーヒー、アイスコーヒー、紅茶、ココア、ウーロン茶その他の健康茶、煎茶、麦茶、昆布茶等広範囲な飲料が含まれている。これらの中、コーヒーは本発明の上置式支持具付抽出用バッグに最も適している。また、カップも通常のコーヒー或いは紅茶用カップの他、デミタス型、ガラスコップ、朝顔型カップ等種々のタイプのカップに適用できる。
【実施例１】
【００２２】
本発明の支持具付嗜好性飲料抽出用バッグ(1) は、濾過性を有するシートからなる抽出用バッグ(2) 及び、その表裏に貼付した抽出用バッグをカップ上に保持するための、耐水性を有する紙製の支持シート(3) 、(3′) からなっている。
【００２３】
図１に使用前の折り畳まれた状態の、支持具付嗜好性飲料抽出用バッグ(1) の正面図を示す。抽出用バッグ(2) は表裏の長方形のシートからなっている。本発明の抽出用バッグは濾過性を有するシートであれば広く使用できるが、繊度0.2 デニール以下の超極細繊維を含む不織布は、抽出性が優れているためより好ましい。例えば、香りやコク味が優れたコーヒーを入れるためにフィルターに要求される最も重要な性質は、コーヒーの微粒子が液中に漏れ出さないこと及びコーヒー液中に含まれている油脂を吸着除去して、カップの表面に油膜が浮かない様にすることである。これらはいずれもコーヒーの味を阻害する要素で、微粒子が混入すれば舌触りが悪く感じられ、またカップの表面に油脂が浮くとギラギラ光るため好まれないからである。
【００２４】
微粒子の漏出防止及び油脂の吸着性を高める素材として、繊度が 0.2デニール以下の超極細繊維を含む不織布が特に優れている。従って、この様な超極細繊維を含む不織布が本発明のバッグの素材にはより好ましい。この様な超極細繊維は例えば、メルトブロー法により熱可塑性ポリマーから製造され、熱可塑性ポリマーの種類としては、ポリプロピレン、ポリエチレン等が使用されている。またこの様な超極細繊維の不織布層と、通常の太さの繊維からなる支持層の複合不織布を使用することにより、濾過性と共に濾布の機械的性質を向上させることが出来る。
【００２５】
超極細繊維を含む不織布シートからなる抽出用バッグ(2) は、筒状のシートを一定間隔毎にシール/ カットして得られた長方形バッグで、底部がシールされた筒状のシートが表裏２枚に折り畳まれた形状となっている。このようにして得られた抽出用バッグ (２) の表裏のシートの表には、耐水性を有する２枚の紙製支持シート(3) 、(3′) が貼付されている。
【００２６】
紙製支持シート(3) 、(3′) には、その部分から容易に折り曲げ可能なミシン目(4) 、(4′) 及び、(5) 、(5′) が、それぞれ左右表裏の縦方向に設けられている。嗜好性飲料抽出用バッグ(1) の使用時に、紙製支持シート(3) 、(3′) の上部左右の縁、(8) 、(8′) 及び(9) 、(9′) を左右から押さえると、シート(3) 、(3′) の上部に設けられた、ミシン目(4) 、(4′) 及び、(5) 、(5′) が容易に折り曲げられて、紙製支持シートの上部は断面が、ほぼ長方形または六角形の筒状に成形される。
【００２７】
紙製支持シート(3) 、(3′) の下部には、嗜好性飲料調製用カップの縁を外側から保持するためのループ(6) 、(6′) 及び、抽出用バッグ(2) の拡張用ループ(7) 、(7′) が、それぞれ紙製支持シートの一部を打ち抜いて設けられている。またループ(7) 、(7′) の先端(17)、(17 ′) は抽出用バッグ(2) の表面に貼付された構造を有している。
【００２８】
嗜好性飲料抽出用バッグ(1) の使用時、紙製支持シート(3) 、(3′) の上部左右の縁、(8) 、(8′) 及び(9) 、(9′) を左右から押さえると、シート(3) 、(3′) の上部に設けられた、ミシン目(4) 、(4′) 及び、(5) 、(5′) が容易に折り曲げられて、抽出用バッグ(2) の上部が開口された状態となり、紙製支持シート(3) 、(3′) の下部に設けられた、ループ(6) 、(6′) は本体から張り出した形状となって、カップ(20)の縁を外側から保持して、支持具付嗜好性飲料抽出バッグ(1) を、カップ上に安定した状態に保持する機能を有する。その状態における嗜好性飲料抽出用バッグ及び、嗜好性飲料調製用カップ(20)の斜視図を図２に示す。
【００２９】
ここで、紙製支持シート(3) 、(3′) の下部に設けられた、ループ(7) 、(7′) の先端部分(17)、(17 ′) は抽出用バッグ (２) の表面に貼付された構造を有している。このループの先端部分がバッグ(2) の表面に貼付されている部分は、抽出用バッグの底部に近い部分にあたるから、紙製支持シートの上部断面をほぼ長方形または六角形に開口させた場合、ループ(7) 、(7′) の先端はそれと相まって、バッグの底部も大きく拡張する働きを示す。このためバッグの上部から熱湯を注いだ場合、熱湯がバッグの内部で嗜好性飲料の原料と充分に混合されるため、抽出性を一層高める効果を有する。
【実施例２】
【００３０】
本発明には更に前記の態様において、紙製支持シート(3) 、(3′) の下部に、嗜好性飲料調製用カップの縁を内側から保持するためのループが(7) 、(7′) がなく、カップの縁を外側から保持するためのループ(6) 、(6′) だけが設けられた形状の、支持具付嗜好性飲料抽出用バッグも含まれている。尚、ここで抽出用バッグ(2) が折り畳まれた状態において、その下端が三角形に張出しその先端(21)を含む形状となっている。その抽出用バッグの折り畳まれた状態における正面図を図３に示す。
【００３１】
嗜好性飲料抽出用バッグ(1) の使用時、紙製支持シート(3) 、(3′) の上部左右の縁、(8) 、(8′) 及び(9) 、(9′) を左右から押さえると、前記の態様の場合と同様に、シート(3) 、(3′) の上部に設けられた、ミシン目(4) 、(4′) 及び、(5) 、(5′) が容易に折り曲げられて、抽出用バッグ(2) の上部が開口された状態となり、紙製支持シート(3) 、(3′) の下部に設けられた、ループ(6) 、(6′) は本体から張り出した形状となって、カップの縁を外側から保持して、支持具付嗜好性飲料抽出バッグ(1) をカップ上に安定した状態に保持する機能を有する。更に、抽出用バッグ(2) が開口されてバッグの底部が大きく拡張された状態において、バッグの下端(21)が下側へ突出した形状となる。このため抽出液の液切れが良好となり、抽出性を一層向上させることができる。
【実施例３】
【００３２】
本発明には更に、濾過性を有するシートからなる抽出用バッグ(2) 及び、抽出用バッグをカップ上に保持するために表裏に貼付した、耐水性を有する紙製の支持シート(3) 、(3′) によって、カップの縁を外側及び内側の双方から保持する構造を有する、支持具付嗜好性飲料抽出用バッグも含まれている。その抽出用バッグの折り畳まれた状態における正面図を図４に示す。
【００３３】
紙製支持シート(3) 、(3′) の上部には、容易に折り曲げ可能なミシン目(4) 、(4′) 及び、(5) 、(5′) がそれぞれ縦方向に設けられ、紙製支持シート(3) 、(3′) 下部には、カップの縁を内側から保持するための表裏左右の保持片(11)、(11 ′) 、(12)、(12 ′) 及び、カップの縁を外側から保持するためのループ(6) 、(6′) が、それぞれ紙製支持シートの一部を打ち抜いて設けられた構造を有する。
【００３４】
嗜好性飲料抽出用バッグ(1) の使用時、紙製支持シート(3) 、(3′) の上部左右の縁、(8) 、(8′) 及び(9) 、(9′) を左右から押さえると、シート(3) 、(3′) の上部に設けられた、ミシン目(4) 、(4′) 及び、(5) 、(5′) が容易に折り曲げられて、抽出用バッグ(2) の上部が開口された状態となる。それに伴って、ループ(6) 、(6′) が、本体から張り出した形状となって、カップの縁が外側から保持された状態となる。
【００３５】
使用するカップのサイズまたはその形状によっては、この状態においてカップの縁の内側と抽出用バッグとの間に、かなり空隙が生じることがある。このような場合、紙製支持シート(3) 、(3′) 下部の表裏左右に設けられた、保持片(11)、(11 ′) 、(12)、(12 ′) を、カップの内面に接触する形状となる迄外側へ折り曲げれば、この紙製シートの可塑性によって、保持片が折り曲げられてカップの内面に接触した状態に保持される。このためカップの縁の内側は、紙製支持シートの左右表裏４ケ所の保持片(11)、(11 ′) 、(12)、(12 ′) により、外側は紙製支持シートのループ(6) 、(6′) の付け根の左右表裏４ケ所とによって挟まれた状態となる。
【００３６】
このため嗜好性飲料の抽出操作中の安定性が高まり、カップが動揺しても内容液が溢れるおそれがない。尚、保持片(11)、(12)等の紙製支持シート(3) 、(3′) への取り付け部分(14)のミシン目の疎密の度合いを調節して、カップの保持に適した可塑性を付与することによって、抽出用バッグを極めて安定した状態に固定することができる。
【００３７】
嗜好性飲料の抽出時バッグに熱湯を注入すると、抽出用バッグはカップの上縁に懸架した状態となっているため、重心が高くなり不安定になる易いが、本態様の抽出用バッグでは、支持シートに設けられた外側のループ及び内側の保持片によって、カップの縁が内側と外側からは挟まれた状態で固定されるため、嗜好性飲料が抽出される間、抽出用バッグは終始極めて安定した状態に保持される。
【実施例４】
【００３８】
前述の実施例１〜３の支持具付嗜好性飲料抽出用バッグの、いずれかの態様において、嗜好性飲料の抽出時、嗜好性飲料カップの縁を外側から保持する、保持ループ(6) 、(6′) の付け根内側の縁で、カップの縁の頂部に接触する部分(18)、(18 ′) 、(19)、(19 ′) の形状を鋸状とした態様の、抽出用バッグも本発明に含まれている。この態様の抽出用バッグの折り畳まれた状態における正面図を図３に示す。この図において、保持ループ(6) 、(6′) の付け根内側に設けられている、鋸状部分(18)、(19)がこれに当たる。
【００３９】
嗜好性飲料カップは通常陶磁器製のため、表面が硬質で滑らかなため滑り易い。嗜好性飲料の抽出時、カップの縁を外側から保持するための、保持シートのループ(6) 、(6′) の付け根で、カップの縁の頂部付近の保持シートとの接触部分を、鋸状としたものである。このため保持シートのループ(6) 、(6′) が、カップの縁と接触する部分(18)、(18 ′) 、(19 ) 、(19 ′) が、鋸状のため滑り難くした部分を、カップの上縁に懸架した状態となっている。このため嗜好性飲料抽出用バッグを、一層安定した状態で嗜好性飲料のカップの上縁に上置した状態で保持できる効果がある。
【実施例５】
【００４０】
前述の実施例１〜４の支持具付嗜好性飲料抽出用バッグの、いずれかの態様において、嗜好性飲料の抽出用原料(15)を挿入した後、抽出用バッグ(2) の上部に溶融接着部分(22)を設けて、抽出用バッグ(2) をシールした構造の、嗜好性飲料抽出用バッグも本発明に含まれている。実施例３の態様の正面図を示した図４の上部に、前記の部分の構造を併せて示した。抽出用バッグ上部のミシン目(16)及び、抽出用バッグ上部の溶融接着部分(22)がこれに当たる。  
【００４１】
嗜好性飲料抽出用バッグの使用時、バッグ(2) 上部の溶融接着部分(22)をつまめば、ミシン目(16)を容易に引き裂くことができる。ミシン目を引き裂いた後、抽出用バッグ(2) の上部を開口させ、熱湯を注入して嗜好性飲料を調製することができる。使用することができる。
【産業上の利用可能性】
【００４２】
本発明の支持具付嗜好性飲料抽出用バッグは、ディスポーザブルでドリップタイプのコーヒー、紅茶等の抽出用バッグに紙製の支持具を取り付けたものである。紙製支持シートの作用によって、抽出用バッグの上部を充分に開口させる効果を有すると共に、支持シートの下部に、その一部を打ち抜いて設けられたループの先端部分を、抽出用バッグの底部側面に貼付された構造を有する。このため抽出用バッグを開口させた時、紙製支持シートのこれらの部分の作用によって、抽出用バッグの底部迄充分に拡張させることが可能となる特徴を有している。これによって抽出性を一層高める効果を有する。
【図面の簡単な説明】
【００４３】
【図１】本発明の支持具付嗜好性飲料抽出用バッグの一態様で、使用前の折り畳まれた状態の正面図を示す。
【図２】図１に示した支持具付嗜好性飲料抽出用バッグの使用時コーヒーカップの上に乗せた状態の斜視図を示す。
【図３】本発明の支持具付嗜好性飲料抽出用バッグの他の一態様で、使用前の折り畳まれた状態の正面図を示す。
【図４】本発明の支持具付嗜好性飲料抽出用バッグのその他の一態様で、使用前の折り畳まれた状態の正面図を示す。
【符号の説明】
【００４４】
１  支持具付嗜好性飲料抽出用バッグ
２  抽出用バッグ
３  紙製支持シート
４、４′紙製シートの上部左側表裏のミシン目
５、５′紙製シートの上部右側表裏のミシン目
６、６′紙製シート下側表裏のカップ外側保持ループ
７、７′表裏シート下側表裏のカップ内側保持ループ
８、８′紙製支持シート上部の左側表裏の縁
９、９′紙製支持シート上部の右側表裏の縁
10 抽出用バッグの上端
11、11′左側表裏のカップ内側保持片
12、12′右側表裏のカップ内側保持片
13 カップ内側保持片の切断線
14 カップ内側保持片のミシン目
15 嗜好性飲料の抽出用原料
16  抽出用バッグ上部のミシン目
17、17′ループ７、７′の先端
18、18′19、19′外側保持ループ６、６′の内側付け根の鋸状部分
20 嗜好性飲料容器
21 抽出用バッグの底部先端
22 抽出用バッグ上部の溶融接着部分
【図１】
2006076600.tif 000003
【図２】
2006076600.tif 000004
【図３】
2006076600.tif 000005
【図４】
2006076600.tif 000006